(57)【要約】【課題】対面している人たちと相手の顔を見ながらコミュニケーションを簡便に取る。【解決手段】眼鏡のテンプル１２，１６を起立させることで電源ＳＷ２５がＯＮする。自分の喋った言葉は、骨導音により骨伝導マイク部１５に取り込まれ、光送信部２２に送られる。光送信部２２は、送信用音声信号を赤外光で相手側に送出する。相手側から受信する音声信号は、赤外光として光受信部２０に入力される。光受信部２０に入力した受信用音声信号は、音声認識回路、音声文字変換回路を介してプロジェクタ１７に送られ、プロジェクタ１７が眼鏡のレンズ１８内面に文字を投映する。レンズ１８内面には、指向性範囲フレームの画像が投映されている。指向性調節部２３の操作により指向性範囲フレームの大きさが変化する。大きさを変えることで、光通信の通信範囲及び通信距離が調節され、特定の人のみと会話することができる。【選択図】図１
2008176681.tif 000002
【特許請求の範囲】
【請求項１】
入力される音声信号を音声認識回路で音声認識し、音声認識した音声情報を音声文字変換回路で文字情報に変換し、前記文字情報を表示手段で画像表示して表示した画像を、眼鏡を通した視界に重ねて使用者に視認させる眼鏡型コミュニケーション支援装置において、
マイクと、前記マイクを通じて入力される音声信号を送信用音声信号に変調して特定範囲に指向性を持たせて外部に光出力する光送信部と、外部から入力される光を受信して受信用音声信号に復調する光受信部と、外部に操作可能に設けられた指向性調節部と、前記指向性調節部の操作に連動して、前記光受信部及び光送信部の指向性を変更する指向性変更手段と、を備えたことを特徴とする眼鏡型コミュニケーション支援装置。
【請求項２】
前記光送信部及び光受信部には、光を投光する投光部及び光を受信する受信部の前に、可変光学レンズ又は絞り機構がそれぞれ設けられており、前記指向性変更手段は、前記可変光学レンズの屈折率、又は前記絞り機構の絞り口径を可変することを特徴とする請求項１記載の眼鏡型コミュニケーション支援装置。
【請求項３】
指向性の範囲を示す指向性範囲フレームを前記プロジェクタに投映させるとともに、前記指向性調節部の操作に応じて前記指向性範囲フレームの大きさを変える指向性範囲表示手段を備えたことを特徴とする請求項１又は２記載の眼鏡型コミュニケーション支援装置。
【請求項４】
入力される音声信号を音声認識手段で音声認識し、音声認識した音声情報を音声文字変換手段で文字情報に変換し、前記文字情報を表示手段で画像表示して表示した画像を、眼鏡を通した視界に重ねて使用者に視認させる眼鏡型コミュニケーション支援装置において、
マイクと、前記マイクを通じて入力される音声信号を送信用音声信号に変調して特定範囲に指向性を持たせて外部に光出力する光送信部と、外部から入力される光を受信して受信用音声信号に復調する光受信部と、前記光受信部及び光送信部の指向性を変更する指向性変更手段と、選択フレームをプロジェクタに投映させる選択フレーム表示手段と、前記選択フレームに重なって視認される相手までの距離を測距する測距回路と、前記測距回路から得られる距離情報に基づいて光受信部及び光送信部の指向性を決め、決められた指向性に基づいて前記指向性変更手段を制御する制御手段と、を備えたことを特徴とする眼鏡型コミュニケーション支援装置。
【発明の詳細な説明】
【技術分野】
【０００１】
本発明は、聴覚障害者のコニュニケーションを支援するための眼鏡型コミュニケーション支援装置に関するものである。
【背景技術】
【０００２】
聴覚障害者とのコミュニケーションを取る方法として手話が知られている。しかし、手話が分からないと、コミュニケーションを取ることができない。このため、従来、コミュニケーションを補助するために、音声を表示するシステムが知られている。
【０００３】
例えば、特許文献１には、マイクから入力される音声情報を文字情報に変換し、その文字情報を、透過型メガネディスプレイなどの表示部に表示する音声表示システムが記載されている。また、特許文献２には、文字情報を音声情報に、又音声情報を文字情報に変換することに加えて、手話などの映像を撮像してその撮像画像から手話認識して認識した手話情報を文字情報に変換する携帯電話機が記載されている。
【０００４】
特許文献１に記載の発明では、文字情報が透過型メガネディスプレイに表示されるため、相手の顔を見ながらコミュニケーションをとることができる。このような眼鏡に映像を表示する装置としては、光学像を投射する映像投射部と、映像投射部から投射した光学像を使用者の眼に導く接眼光学系とをメガネのフレームに設けた映像表示装置が知られている（特許文献３）。
【特許文献１】特開２００２−２４４８４１
【特許文献２】特開２００４−２４８０２２
【特許文献３】特開２００６−１３９１１３
【発明の開示】
【発明が解決しようとする課題】
【０００５】
しかしながら、特許文献１に記載の音声表示システムでは、透過型メガネディスプレイに加えて、携帯型のコンピュータを別個に持ち歩くことが必要になり、携帯するには不便である。また、特許文献２に記載の携帯電話機では、通話により特定の人とのコミュニケーションが取れるものの、例えば散歩中に出会う人とのコミュニケーションを取ることができない欠点がある。特許文献３の映像表示装置では、眼鏡に設けたプロジェクタであるため、眼鏡をかけることでレンズを通して周辺視の範囲を知覚しながら文字情報を視認することができる。しかし、この映像表示装置には、映像情報を入力するための映像再生装置が別に必要になり、持ち歩くには不便である。
【０００６】
本発明は、対面している人たち（視野範囲内にいる人たち）との間で相手の顔を見ながらコミュニケーションを簡便に取ることができる眼鏡型コミュニケーション支援装置を提供しようとするものである。
【課題を解決するための手段】
【０００７】
本発明では、マイクと；前記マイクを通じて入力される音声信号を送信用音声信号に変調して特定範囲に指向性を持たせて外部に光出力する光送信部と；外部から入力される光を受信して受信用音声信号に復調する光受信部と；外部に操作可能に設けられた指向性調節部と；前記指向性調節部の操作に連動して、前記光受信部及び光送信部の指向性を変更する指向性変更手段と；を備えたものである。
【０００８】
光送受信部の指向性は、通信距離及び通信範囲とで決まる。そこで、投光部及び受光部の前に、可変光学レンズ又は絞り機構をそれぞれ設ける。そして、指向性変更手段が、可変光学レンズの屈折率、又は絞り機構の絞り口径を可変することで、指向性を変える。これによれば、例えば特定の人のみと会話したいときには、光通信の通信範囲が狭くなるように、また、逆に多数の人達と会話したいときには、光通信の通信範囲が広くなるように指向性調節部で操作を行えばよい。
【０００９】
このように、眼鏡型コミュニケーション支援装置では、眼鏡を通して視界に入る多数の人達の音声が文字情報として認識することができる。このうち特定の人のみと通信を行いたい場合がある。そこで、通信範囲又は距離の目安となる指向性範囲フレームをプロジェクタで投映させ、指向性範囲フレームの大きさを指向性調節部の操作に応じて変えて表示するのが好適である。例えば、指向性を広くする方向に指向性調節操作部を操作したときには指向性範囲フレームを大きく表示し、逆は小さくなるように表示する。この指向性範囲フレームの大きさを特定の人のみを覆う大きさに調節すれば、これに応答して特定の人のみと通信ができるように光通信の指向性が調節される。
【００１０】
指向性調節部の操作を一々行うのは煩わしい。そこで、選択フレームをプロジェクタに投映させる選択フレーム表示手段と、前記選択フレームに重なって視認される相手までの距離を測距する測距回路と、前記測距回路から得られる距離情報に基づいて光受信器、及び、光送信器の指向性を決め、決められた指向性に基づいて前記指向性変更手段を制御する制御手段と、を設け、選択した相手のみと通信が行えるように自動的に光受信部、及び、光送信部の指向性を決めるようにしてもよい。さらに、指向性調節部を操作する手動モードと、測距により指向性を自動的に調節する自動モードとを択一的に切り換えるモード変更操作部を設けてもよい。
【発明の効果】
【００１１】
本発明の眼鏡型コミュニケーション支援装置よれば、指向性調節部の操作に連動して、又は測距回路から得られる測距情報に基づいて光受信部及び光送信部の指向性を指向性変更手段が変更するため、特定の人のみと会話したり、又は、多数の人達と会話したりすることを簡便に行える、という優れた効果を奏し得る。
【発明を実施するための最良の形態】
【００１２】
眼鏡型コミュニケーション支援装置１０は、図１に示すように、メガネに、音声送受信手段、音声信号を文字に変換する変換手段、表示手段、通信範囲変更手段、及び、電池などを内蔵してコンパクトな形態になっている。この眼鏡型コミュニケーション支援装置１０を装着した人達が通信範囲に集まることで、みんなで音声信号の通信を行ってコミュニケーションをとることができる。
【００１３】
眼鏡フレーム１１の右テンプル１２の内側には、骨伝導スピーカ部１３が、また、先セル（モダン）１４には骨伝導マイク部１５がそれぞれ内蔵してある。左テンプル１６の内側には、小型のプロジェクタ１７が取り付けられている。プロジェクタ１７は、音声情報を変換した文字情報の画像を左レンズ１８の内面に投映する。なお、眼鏡のレンズ１８は度付きでもよいし、度無しの飾りガラスでもよい。また、左テンプル１６の内部には制御部１９が内蔵されている。さらに、通信用の光受信部２０はフロント２１のブリッジに受信窓を外部に露呈して内蔵されている。フロント２１の左端には、光送信部２２が送信窓を外部に露呈して内蔵されている。光送信部２２は、眼鏡レンズを通して知覚できる範囲（視界）のうちの所定距離の位置に投光軸が一致する向きに取り付けられている。この光送信部２２の外周には、ダイヤル式の指向性調節部２３が設けられている。左テンプル１６とフロント２１との間に設けた蝶番には、電源スイッチ（ＳＷ）２５が内蔵されている。電源ＳＷ２５は、左テンプル１６を折り畳んだ状態（不使用状態）のときにＯＦＦし、起立状態（使用状態）にすることでＯＮする。フロント２１の天井部には、太陽電池２９が内蔵されている。
【００１４】
図２に示すように、制御部１９には、音声文字変換回路３０、音声認識回路３１、メモリ部３２、画像合成部３３、及び、ＣＰＵ３４で構成されている。眼鏡型コミュニケーション支援装置１０は、これら３０〜３４に加えて、光送受信部２０，２２、プロジェクタ１７、骨伝導スピーカ部１３、骨伝導マイク部１５は、バス３５によりそれぞれ接続されている。このバス３５は、眼鏡フレーム１１に内蔵した接続線によって構成されている。なお、蝶番の所にはフレキシブル基板が用いられ、接続線は折り曲げ自在になっている。太陽電池２９は、各部に電源を供給する。この太陽電池２９には電源ＳＷ２５が接続されており、電源ＳＷ２５は、ＯＮ−ＯＦＦにより各部への電源供給を制御する。メモリ部３２は、ビデオメモリ、送受信用音声信号記憶用メモリ、及び、ＣＰＵ３４のワーク用メモリなどで構成されている。
【００１５】
骨伝導マイク部１５は、詳しくは図３に示すように、振動センサ３６、増幅器３７、及びＡ／Ｄ変換器３８で構成されており、骨に伝わってくる声帯の振動を振動センサ３６で集め、増幅器３７で増幅した音声信号をデジタル信号に変換して光送信部２２に出力する。
【００１６】
骨伝導スピーカ部１３は、詳しくは図４に示すように、骨導スピーカ４０、増幅器４１、及び、Ｄ／Ａ変換器４２で構成されており、外部通信により入力されてくる受信音声信号をＤ／Ａ変換器４２でアナログ信号に変換し、その音声信号を増幅器４１で増幅して骨導スピーカ４０に送る。骨導スピーカ４０は、振動板、マグネット、ヨ−ク、及び、ボイスコイルとから成り、音声信号に応じて振動板を振動させてその振動を骨に伝達させる。
なお、骨伝導マイク部１５や骨伝導スピーカ部１３の代わりに、気導音を出力又は入力する通常のマイクやスピーカを用いても良い。
【００１７】
光送信部２２は、骨伝導マイク部から入力される音声信号を送信用音声信号に変調し、変調した送信用音声信号を特定範囲に指向性を持たせて外部へ出力する。光受信部２０は、相手側から音声信号を受信して受信用音声信号に復調する。音声認識回路３１は、受信用音声信号を音声認識する。音声文字変換回路３０は、音声認識した音声情報を文字情報に変換する。この文字情報は、画像合成部３３、及び、メモリ部３２を介してプロジェクタ１７に送られ、プロジェクタ１７は、文字情報の画像を投映表示する。
【００１８】
光送信部２２は、図５に示すように、赤外線発光部４５、可変光学レンズ４６、光学フィルタ４７、レンズ移動制御部４８、変調部４９、変換器５０、及び、駆動部５１とで構成されている。変換器５０は、パラレル信号で入力される音声信号をシリアル信号に変換する。変調部４９は、シリアル信号の音声信号を変調する。駆動部５１は、変調した送信用音声信号に基づいて赤外線発光部４５を駆動する。赤外線発光部４５としては、例えば赤外発光ダイオードを用いることができる。可変光学レンズ４６は、赤外線発光部４５から出射した赤外線を透過させる。光学フィルタ４７は、可変光学レンズ４６を透過した赤外線を外部に放射する。赤外線発光部４５の光の強度は、駆動部５１からの電気信号のレベルに依存している。そこで、駆動部５１から出力される電気信号のレベルを調節することで赤外線発光部４５の光の強度を調節し、赤外光の到達距離を調整する。
【００１９】
ＣＰＵ３４には、指向性調節部２３が接続されており、指向性調節部２３の操作により入力される調節信号が駆動部５１に入力される。駆動部５１は、調節信号に基づいて赤外線発光部４５の光の強度を調節する。また、駆動部５１は、調節信号に基づいてレンズ移動制御部４８に制御信号を可変光学レンズ４６の屈折率を可変して赤外光の放射範囲も調節する。可変光学レンズ４６は、電気光学効果に基づき、又は電動のズームレンズ構成により屈折率を変えるレンズである。光学フィルタ４７は、赤外線光以外の波長帯の光を除去する。
【００２０】
また、ＣＰＵ３４は、指向性調節部２３の調節量に基づいて赤外光の指向性の範囲を示す指向性範囲フレームの画像を画像合成部３３に送って文字情報と指向性範囲フレームとを合成した画像をプロジェクタ１７で投映するように制御する。これらが本発明の指向性範囲表示手段を構成する。指向性範囲フレームは、赤外光の通信距離、通信方向を示す目安の表示枠であり、赤外光の通信範囲が広い場合には大径の円で、逆に赤外光の通信範囲が狭い場合には小径の円で表示される。
【００２１】
光受信部２０は、図６に示すように、光学フィルタ５３、可変光学レンズ５４、フォトダイオード５５、増幅器５６、復調部５７、及び、変換器５８で構成されている。光学フィルタ５３、及び、可変光学レンズ５４は、光送信部２２で説明したものと同じ構成のものである。フォトダイオード５５は、外部から音声信号を受信し、電気信号に変換する。増幅器５６は、その電気信号を増幅する。復調部５７は、増幅した音声信号を受信用音声信号に復調する。変換器５８は、復調したシリアル信号の受信用音声信号をパラレル信号に変換して音声認識回路３１に送る。
【００２２】
この光受信部２０にもレンズ移動制御部５９が設けられており、レンズ移動制御部５９はＣＰＵ３４から得られる調節信号に基づいて可変光学レンズ５４の屈折率を可変して赤外光の受信範囲を調節する。このように、本発明の指向性変更手段としては、光受信部２０と光送信部２２との可変光学レンズ４６，５４の屈折率を連動して可変する。これにより、通信距離や通信範囲などの状況に適した指向性を選択することができる。このため、例えば広範囲にいる複数の相手と通信したり、その中の特定の相手だけと通信することを選択したりすることができる。例えば、光の強さ、すなわち通信距離を一定にして可変光学レンズ４６，５４の屈折率を変えて通信範囲を広げた場合には通信距離が短くなり、逆に通信範囲を狭くした場合には通信距離が長くなる特性を用いて指向性の範囲を変更してもよい。また、通信範囲を広げた場合には通信距離を長くするように光の強さを強く、逆に通信範囲を狭くした場合には通信距離が短くなるように光強さを弱める制御を行って指向性の範囲を変更してもよい。
【００２３】
プロジェクタ１７は、図７に示すように、バックライト６０、液晶パネル６１、光学補正部６２、及び、投映光学系６３とで構成されている。バックライト６０は、液晶パネル６１を背後から照明する。液晶パネル６１は、透過型のＬＣＤとなっており、文字情報と選択フレームとを合成した画像を表示する。光学補正部６２は、投映するスクリーンとなるレンズ１８内面が湾曲しているので、その像面湾曲を補正する。投映光学系６３は、像面湾曲を補正した光線をレンズ１８内面に投映する。レンズ１８内面には、ハーフミラーコーティング６５が施されている。なお、ハーフミラーフイルムを貼り付けてもよい。これにより、レンズ１８内面に投映した文字情報及び指向性範囲フレームを、外部の視野を見ながら視認することができる。なお、本発明の表示手段としては、プロジェクタ１７に限らず、周知のウェアラブルディスプレイを用いても良い。ウェアラブルディスプレイとしては、バックライト用のＬＥＤ、コンデンサレンズ、及びＬＣＤからなる映像投射部と、プリズム及びＨＯＥ（Holographic Optical Element）から成る接眼光学系と、で構成すればよい。これを用いると、外界光を損なわない高いシースルー性と明るい表示を両立させることができる。
【００２４】
眼鏡型コミュニケーション支援装置１０のテンプルを起立させることで、電源ＳＷ２５がＯＮする。その後、眼鏡型コミュニケーション支援装置１０を装着し、散歩などを行って、会話を開始する。自分の喋った言葉は、骨導音により骨伝導マイク部１５に取り込まれ、光送信部２２に送られる。光送信部２２は、音声信号を送信用音声信号に変調して赤外光で外部に出射する。受信する音声信号は、赤外光として光受信部２０に入力される。光受信部２０に入力した音声信号は、受信用音声信号に復調されて音声認識回路３１、音声文字変換回路３０を介して画像合成部３３に送られる。画像合成部３３は、指向性範囲フレームの画像と文字情報とを合成した合成画像を、メモリ部３２を介してプロジェクタ１７に送る。プロジェクタ１７は、合成画像をレンズ１８内面に投映する。これにより、図８に示すように、相手の喋った言葉が文字７０として視認することができる。このとき、指向性範囲フレーム７１が円形で表示されている。また、相手の喋った言葉は、骨伝導スピーカ部１３から振動により聴覚器官に伝えられる。
【００２５】
対象の人以外の会話が聞こえる場合には、指向性調節部２３を操作する。この操作は、通信距離を短く、かつ通信範囲を狭くする方向に調節する。この調節操作に連動してＣＰＵ３４は、図９に示すように、指向性範囲フレーム７１を徐々に小さくなるように表示を制御する。この指向性範囲フレーム７１がレンズ１８を通して見える視野範囲のうちの対象の人のみを覆う大きさになるように指向性調節部２３で調節操作を行わせることで、光通信の指向性範囲を簡単に認識させることができる。
【００２６】
逆に対象の人の会話が聞こえないときには、通信距離を長く、かつ通信範囲を広くする方向（逆方向）に向けて調節する。この調節操作に連動してＣＰＵ３４は、指向性範囲フレーム７１が徐々に大きくなるように表示を制御する。なお、指向性範囲フレーム７１の内部を色付き、例えば薄いグレイの色で表示してもよい。
【００２７】
上記実施形態では、指向性調節部２３を調節操作して対象の相手を選択して会話を行うにしているが、本発明ではこれに限らず、レンズ１８を通した視界に居る複数の相手のうちの特定の相手を選択することで、その対象の相手のみと会話ができるように、光通信の指向性を自動的に調節するように構成してもよい。この場合には、図１０に示すように、測距回路８０を設ける。測距回路８０は、図２に示したバス３５に接続されており、測距回路８０で対象の相手との距離を測距する。測距回路８０から得られる距離情報はＣＰＵ３４に入力される。ＣＰＵ３４は、距離情報に基づいて光通信の通信距離、通信範囲を自動的に決めて光送受信部２０，２２の光強度、投光範囲、及び、受信範囲を変更するように制御する。
【００２８】
測距回路８０の測距範囲は、レンズ１８内面に、選択フレームの画像として表示される。この選択フレームの画像は、ＣＰＵ３４がプロジェクタ１７でレンズ１８内面の中央に小円枠を表示させるように制御することで達成することができる。この選択フレームが距離を測定する部分であり、ＣＰＵ３４、プロジェクタ１７などが本発明の選択フレーム表示手段を構成する。これにより、対象の相手が選択フレーム内に収まるように顔又は体の姿勢を変えることで、特定の人のみと会話を楽しむことができる。測距回路８０が測距するタイミングとしては、一定時間ごとに周期的に行ってもよいし、測距ボタンを設けてボタンを押したときにのみ行うようにしてもよい。測距回路８０は、赤外線投光器を用いており、対象の相手を反射した赤外光を受光部で受光する。受光部に入射する赤外光の位置、測距回路８０の投光器と受光器との間隔とに基づいて三角測距により対象相手との距離を測定することができる。測距回路８０の投光器と受光器とは、例えば眼鏡のフロント両端にそれぞれ離して設けられている。光通信と測距回路とは、どちらも赤外光を使うため、何れか一方の赤外光の波長を変えておけば混信する不都合はなくなる。なお、測距回路８０を省略して、光受信部２０及び光送信部２２を用いて測距を行うようにすればコストダウンになる。この場合には、測距ボタンを設け、測距ボタンを押したときのみ測距を行うように構成すればよい。
【００２９】
なお、指向性調節部２３を操作して対象の相手を手動的に選択して会話を行う手動モードと、対象の相手を選択することで自動的に指向性を調節する自動モードと、これらモードを選択的に切り換えるモード変更操作部とを設け、使用者にモードを択一的に選択して使用させる構成にしてもよい。
【００３０】
また、上記実施形態では、光送受信部２０，２２の指向性を変更する指向性変更手段として、可変光学レンズ４６，５４、及び、これらのレンズを移動させるレンズ移動制御部４８，５９などを用いて指向性を変更する構成としているが、本発明ではこれに限らず、投光及び受光窓にメカ式の絞り機構をそれぞれ設けた構成でもよい。この場合には、絞り機構の絞り径を可変することで、赤外光の投光範囲、及び受光範囲を規制して通信範囲を可変する。この場合、光の強さが一定である場合、通信範囲を広角にすると通信距離が短くなる。逆に通信範囲を狭角にすると通信距離が長くなる。
【００３１】
さらに、通信する相手を選択する手段の他の例としては、波長変更ダイヤルと、そのダイヤル操作で選択された波長の赤外線を駆動する手段とを設けた構成にしてもよい。この場合には、波長の異なる複数の赤外ダイオードとセレクタとを設ける。セレクタは、複数の赤外ダイオードのうちの波長変更ダイヤルで選択した波長に応じた赤外ダイオードと駆動部とを接続する。光受光器には、複数の光学フィルタと、それら光学フィルタのうちの波長変更ダイヤルで選択した波長に応じた赤外光のみを通す光学フィルタを、フォトダイオードの前に挿入する手段とを設ければよい。勿論、光学的フィルタの代わりに電気的なフィルタを用いてもよい。この場合には、フォトダイオードの後に電気的フィルタを接続すればよい。
【００３２】
また、上記実施形態では、赤外線を用いた例として説明しているが、本発明では赤外線のみならず、可視光線を含む光を用いた空間通信においても可能である。
【図面の簡単な説明】
【００３３】
【図１】本発明の眼鏡型コミュニケーション支援装置の外観を示す斜視図である。
【図２】眼鏡型コミュニケーション支援装置の電気的構成を示すブロック図である。
【図３】骨伝導マイク部の電気構成を示すブロック図である。
【図４】骨伝導スピーカ部の電気構成を示すブロック図である。
【図５】光送信器の電気的構成を示すブロック部である。
【図６】光受信器の電気的構成を示すブロック部である。
【図７】プロジェクタの構成を概略的に示す説明図である。
【図８】広い通信範囲に調節されているときの眼鏡レンズを通して見える視野を示す説明図である。
【図９】狭い通信範囲に調節されているときの眼鏡レンズを通して見える視野を示す説明図である。
【図１０】測距回路を設けて自動的に通信範囲を決める他の実施形態を示すブロック図である。
【符号の説明】
【００３４】
１０  眼鏡型コミュニケーション支援装置
１８  眼鏡のレンズ
７０  指向性範囲フレーム
【図１】
2008176681.tif 000003
【図２】
2008176681.tif 000004
【図３】
2008176681.tif 000005
【図４】
2008176681.tif 000006
【図５】
2008176681.tif 000007
【図６】
2008176681.tif 000008
【図７】
2008176681.tif 000009
【図８】
2008176681.tif 000010
【図９】
2008176681.tif 000011
【図１０】
2008176681.tif 000012